(57)【特許請求の範囲】
【請求項１】
ティーを差込み装着するティー収納部、メタルマーカーを差込み装着するメタルマーカー収納部、該メタルマーカー収納部内に装着されたメタルマーカーを吸着保持する磁石、樹脂製マーカーの突起部を差込み装着する樹脂製マーカー装着穴、及びグリーンフォークを差込み装着するグリーンフォーク収納部、を有し、
前記ティー収納部を前面に有したベースシートと、該ティー収納部の前面に設けられた前記メタルマーカー収納部と、該メタルマーカー収納部を回避した前記ベースシート部位に貫通形成された樹脂製マーカー装着穴と、前記ベースシートの背面側に固定された背面シートとの間に形成される前記グリーンフォーク収納部と、を備えたことを特徴とするゴルフ用具携帯用ホルダ。
【請求項２】
前記メタルマーカー収納部は、前記メタルマーカーの背面を支持する背面支持面と、該メタルマーカーの前面を支持する前面支持シートとの間に形成され、該前面支持シートの端縁には略Ｕ字状の切り込み部が形成されていることを特徴とする請求項１に記載のゴルフ用具携帯用ホルダ。
【請求項３】
前記メタルマーカー収納部には前記メタルマーカーを位置決めするストッパ部材と、メタルマーカーを着脱する際の滑りを高める金属部材のうちの少なくとも一方を配置したことを特徴とする請求項１又は２に記載のゴルフ用具携帯用ホルダ。
【請求項４】
前記ホルダ本体は、ゴルフプレイヤーの靴、衣服、或いはベルトの少なくとも一つに係止可能な取り付け部材を備えていることを特徴とする請求項１乃至３の何れか一項に記載のゴルフ用具携帯用ホルダ。
【発明の詳細な説明】
【技術分野】
【０００１】
本発明は、ゴルフプレイヤーがプレイ中に携帯するティー、ボールマーカー、グリーンフォークを同時に収納して携帯することができるゴルフ用具携帯用ホルダに関し、特にメタルマーカーを脱落させることなく確実に保持し続けることができるゴルフ用具携帯用ホルダに関する。
【背景技術】
【０００２】
ゴルフ場では、プレイヤーにはティー、ボールマーカー、グリーンフォーク等の小物用具を携帯することが求められる。これらの用具は、必要な時にゴルフバッグのポケットから取り出して使用するのでは間に合わないため、ズボン等の衣服のポケットにこれらの用具を入れてプレイするのが一般である。しかし、一つのポケット内に複数個のティー、ボールマーカー、グリーンフォーク、予備のボール等、多種類の用具が混在していると、手探りで目的とする用具をポケットから取り出すことが容易でなく、不便であった。また、衣服の異なったポケットに各用具を分散して収納すると、用具の使用後に戻すべきポケットを間違えたり、どのポケットに何を収納したか混乱することが多々ある。
このような不具合を解消するために、最近ではティーやボールマーカーを着脱する収容部を備えた携帯用のホルダが市販されており、このホルダはプレイヤーの衣服に安全ピンやクリップにより取付けられたり、ベルトや靴紐に係止されるための構成を備えている（特許文献１）。
【０００３】
ところで、円盤状の本体の中心部に小突起を突設した従来の樹脂製のボールマーカーに代えて、最近では円盤、その他の形状を有した板状の金属製のボールマーカー（メタルマーカー）を利用するプレイヤーが増大している。このメタルマーカーは鉄等の磁性体から構成することによって、帽子の庇部に取り付けた磁石製の保持具により吸着保持できるように構成されている。しかし、メタルマーカーを帽子に固定した保持具に吸着してプレイに臨んだ場合、帽子を脱ぐ動作、その他のプレイ中の動作により加わる振動、衝撃により、メタルマーカーが保持具から脱落、飛散することがあり、不便であった。また、非磁性体から成るメタルマーカーはこの保持具によって保持し得ないという不便があった。ティーは軽量で、細長いため、細長い袋状の空所をホルダに形成することにより振動衝撃による抜け落ちを防止し易い一方で、メタルマーカーは円盤状で比重が大きいため、袋状の収納部に差し込んだだけでは振動衝撃によって脱落し易くなる。特に、袋状の収納部に収納したメタルマーカーを指先で掴んで取り出す際の操作性を高めるとすれば、収納部内にメタルマーカーを保持するための押え力と、抜取りし易さとの兼ね合いが難しくなる。従って、携帯用のホルダにメタルマーカー収納部を設けることは困難である。特に、ホルダを靴紐を利用して靴の甲の部分に取り付けるとすれば、プレイ中に加わる振動衝撃が著しく増大するため、メタルマーカーを脱落させることなくホルダにより保持することは更に困難となる。
特許文献１には、このようなメタルマーカーを取り付けるための構成は一切開示されていない。
特許文献２には、メタルマーカーを保持する円弧状の保持部材を設けたホルダが開示されてはいるが、この保持部材はメタルマーカーの外周縁に沿って接触保持するに過ぎないため、振動衝撃により脱落、飛散する虞が高い。特に、このようなメタルマーカーの保持構造を備えたホルダをゴルフシューズに取り付けた場合にはメタルマーカーはプレイ中に脱落して遺失し易くなる。
【特許文献１】実開平６−９６７０号公報
【特許文献２】実用新案登録第４１１４３９１号
【発明の開示】
【発明が解決しようとする課題】
【０００４】
従来、ティー、樹脂製マーカーを保持して携帯できるゴルフ用具ホルダは種々提案されているが、プレイ中に加わる振動衝撃により脱落し易いメタルマーカーを脱落させずに保持できるものは提案されていなかった。ティー、各種マーカー、グリーンフォークが衣服の異なったポケットに収納されている場合には取扱性が悪くなり、プレイが遅延する原因ともなる。
本発明は上記に鑑みてなされたものであり、ティー、樹脂製マーカーの他に、メタルマーカー、グリーンフォークをも同時に保持して携帯することができ、しかも振動衝撃によってメタルマーカーが脱落することがないゴルフ用具携帯用ホルダを提供することを目的としている。
【課題を解決するための手段】
【０００５】
上記目的を達成するため、本発明は、ティーを差込み装着するティー収納部、メタルマーカーを差込み装着するメタルマーカー収納部、該メタルマーカー収納部内に装着されたメタルマーカーを吸着保持する磁石、樹脂製マーカーの突起部を差込み装着する樹脂製マーカー装着穴、及びグリーンフォークを差込み装着するグリーンフォーク収納部、を有し、前記ティー収納部を前面に有したベースシートと、該ティー収納部の前面に設けられた前記メタルマーカー収納部と、該メタルマーカー収納部を回避した前記ベースシート部位に貫通形成された樹脂製マーカー装着穴と、前記ベースシートの背面側に固定された背面シートとの間に形成される前記グリーンフォーク収納部と、を備えたことを特徴とする。
メタルマーカーはプレイ中に加わる振動衝撃によりホルダの収納部から脱落し易いが、本発明では磁石によりメタルマーカーを吸着保持するように構成したので、ホルダをゴルフシューズに取り付けたとしても振動衝撃によって脱落、飛散することがない。このため、メタルマーカー収納部から露出するメタルマーカーの面積を広く確保することができ、着脱操作性を高めることができる。また、一つのホルダにより、ティー、２種類のマーカー、及びグリーンフォークを保持可能としたため、ゴルフプレイ中の小物用具の取扱性を高め、プレイ進行の遅延を防止できる。
ベースシートの前面、背面等、狭いスペースを有効に利用して各種小物用具をコンパクトに保持可能に構成することができた。
本発明は、前記メタルマーカー収納部は、前記メタルマーカーの背面を支持する背面支持面と、該メタルマーカーの前面を支持する前面支持シートとの間に形成され、該前面支持シートの端縁には略Ｕ字状の切り込み部が形成されていることを特徴とする。
メタルマーカーを磁石により支持するようにしたので、Ｕ字状の切り込み部を設けてメタルマーカーの露出面積を大きくしたとしても、振動衝撃により脱落することがなくなった。
【０００６】
本発明は、前記メタルマーカー収納部には前記メタルマーカーを位置決めするストッパ部材と、メタルマーカーを着脱する際の滑りを高める金属部材のうちの少なくとも一方を配置したことを特徴とする。
ストッパ部材によりメタルマーカーが収納部内において露出する面積を広く確保して抜取り時の操作性を高める一方で、金属部材によりメタルマーカーとの間の滑りをよくして着脱操作性を高めた。
本発明は、前記ホルダ本体は、ゴルフプレイヤーの靴、衣服、或いはベルトの少なくとも一つに係止可能な取り付け部材を備えていることを特徴とする。
【発明の効果】
【０００７】
本発明では、一つのホルダ上に、ティーを差込み装着するティー収納部、メタルマーカーを差込み装着するメタルマーカー収納部、該メタルマーカー収納部内に装着されたメタルマーカーを吸着保持する磁石、樹脂製マーカーの突起部を差込み装着する樹脂製マーカー装着穴、及びグリーンフォークを差込み装着するグリーンフォーク収納部、を設けることができたので、ティー、樹脂製マーカーの他に、メタルマーカー、グリーンフォークをも同時に保持して携帯することができ、しかも振動衝撃によってメタルマーカーが脱落することを防止できる。
【発明を実施するための最良の形態】
【０００８】
以下、本発明を図面に示した実施の形態により詳細に説明する。
図１（ａ）（ｂ）（ｃ）（ｄ）（ｅ）及び（ｆ）は本発明の一実施形態に係るゴルフ用具携帯用ホルダの構成を示す正面図、右側面図、左側面図、平面図、底面図、及び背面図であり、図２は用具を取り付けた状態を示す正面図であり、図３は断面図である。更に、図４（ａ）はホルダ本体を正面方向から見た分解斜視図、（ｂ）はベースシートを背面方向から見た分解斜視図である。
ゴルフ用具携帯用ホルダ１は、ホルダ本体２と、ホルダ本体２に取り付けられてゴルフプレイヤーの靴、衣服、ベルト、或いは帽子の少なくとも一つに係止可能な取り付け部材５０と、を備えている。
ホルダ本体２は、合成皮革、或いは皮革から成るベースシート３に、ティーＴを差込み装着するティー収納穴（ティー収納部）４、メタルマーカーＭＭを差込み装着するメタルマーカー収納空所（メタルマーカー収納部）１０、樹脂製マーカーＰＭの突起部を差込み装着する樹脂製マーカー装着穴２０、メタルマーカー収納空所１０内に装着されたメタルマーカーＭＭを吸着保持する磁石２４、及びグリーンフォークＦを差込み装着するグリーンフォーク収納空所（グリーンフォーク収納部）４０、を夫々設けた構成を有している。
【０００９】
更に具体的には、本例に係るホルダ本体２は、ゴルフシューズの甲の部分の面積内に取付け可能な形状、寸法を有したベースシート３と、ベースシート３の前面上部に形成された複数個のティー収納穴４と、ティー収納穴４の前面側に形成されたメタルマーカー収納空所１０と、メタルマーカー収納空所１０の下方に相当するベースシート３の部位に貫通形成された樹脂製マーカー装着穴２０と、ベースシート３とその背面側に固定された背面シート４１との間に形成されるグリーンフォーク収納空所４０と、を有する。
図４（ａ）に示すようにベースシート３の背面に背面シート４１を添設して外周縁に沿って縫製することによりベース部材Ａを形成し、ベースシート３の前面の上部寄り適所に複数のティー収納穴４を形成するための細幅帯状のティー押え部材５を縫い付ける。ティー押え部材５とベースシート前面との間には横方向に隣接した複数のティー収納穴４が連設して形成される。各ティー収納内４内には必要に応じてゴムシート等の弾性シートを添設することによりティー収納穴４内に差し込んだティーＴを弾性的に押さえるように構成する。
このベースシート３の前面には中カバー（背面支持面）２１を添設し、中カバー２１の左端縁をベース部材Ａの対応する外周縁に沿って縫い付ける。中カバー２１はティー押え部材５の前面を覆うように配置されることによりティー収納穴４から下方に突出したティーの先端部を隠蔽するように構成する。中カバー２１の前面にはメタルマーカー収納空所１０内にメタルマーカーＭＭを差込み装着する際に滑りを良くするために金属板（金属部材）２２を配置し、更にメタルマーカー収納空所１０内に装着されたメタルマーカーを位置決めするための円弧状のストッパ部材２３を配置している。ストッパ部材２３はメタルマーカーの外周縁に接触して位置決めする部材であるため、一定以上の強度と、一定の厚さを有した材料であれば樹脂、金属等を選択可能である。また、ストッパ部材２３の中間位置には磁石２４を配置して磁性体から成るメタルマーカーの外周縁を吸着保持するように構成する。なお、ストッパ部材２３を設けずに、磁石２４のみを設けても良い。
【００１０】
更に、中カバー２１の前面を覆うようにベースシート３の前面に前カバー（前面支持シート）３０を添設して破線で示したようにベースシート３の外周縁に沿って縫い付ける。前カバー３０の凹状（Ｕ字状）の切り込み部３１は縫い付けずフリーの状態とする。更に、前カバー３０の上端縁は破線で示した範囲だけを中カバー２１の上端縁に沿って縫い付け、前カバー３０の上端縁とベースシート３との間は縫い付けない。このため、中カバー２１と前カバー３０とによって各ティー収納穴４に差し込まれたティーの先端部を隠蔽できるので、プレイヤーがティーの先端によって怪我をすることがなくなる。また、切り込み部３１と中カバー２１の前面との間にはメタルマーカーＭＭを差込み、取り出すための空間が形成され、その奥部にはメタルマーカー収納空所１０が形成される。メタルマーカー収納空所１０内には前記したストッパ部材２３と磁石２４が位置している。ストッパ部材２３の存在によりメタルマーカーが収納空所１０内で奥方に入りすぎないように位置決めできると共に、磁石２４の吸着力によって振動衝撃による脱落を防止できる。図２（ａ）に示すようにメタルマーカー収納空所１０内にメタルマーカーを差込み装着した際には、できるだけメタルマーカーの表面積の多くの部分が切り込み部３１から露出している方が取り出す際には便利である。しかし、メタルマーカーの前面のうち前カバー３０により押さえられる範囲が減少すると、振動衝撃によってメタルマーカーが収納空所１０から脱落し易くなるという不具合がある。本発明では、ストッパ部材２３によってメタルマーカー表面の露出範囲を可能な限り広くする一方で、磁石２４を用いて吸着することにより振動衝撃による抜け落ちを防止している。
なお、ストッパ部材２３を磁石により構成して吸着部材を兼ねるように構成してもよい。
【００１１】
樹脂製マーカー装着穴２０は、前カバー３０と、中カバー２１と、ベース部材Ａ（ベースシート３、及び背面シート４１）を貫通すると共に、その前面側、或いは背面側にはゴム、樹脂等の弾性材料から成るＯリング２０ａが配置されている。Ｏリング２０ａの中心孔を樹脂製マーカー装着穴２０の中心孔と連通させることにより、樹脂製マーカーＰＭの突起部を装着穴２０内に差し込んだ時にＯリング２０ａの弾性力により突起部を十分な力で保持することができる。
樹脂製マーカー装着穴２０の形成部位、個数は、任意に選定可能である。
次に、図４（ｂ）に示すようにベースシート３の背面にはベース部材Ａを湾曲させてゴルフシューズの甲の部分に添設し易くするための湾曲した形状の板部材４５を固定する。更に、ベースシート３の背面に背面シート４１を縫い付ける際に、グリーンフォーク収納空所４０を形成する部位だけは縫い付けせずに開放しておく。グリーンフォーク収納空所４０の底部に相当するベースシートの背面にはグリーンフォークの先端を当接させるストッパ部材４６を固定する。このストッパ部材４６を磁石とすることにより金属製のグリーンフォークの先端部を吸着保持するように構成してもよい。
なお、板部材４５とストッパ部材４６を、背面シート４１側に固定してもよいことは勿論である。
本例に係る取付け部材５０は、ベース部材Ａの上部に一端を固定された細幅帯状の部材であり、その先端部にはバネ式ホック（留め金）５１を固定し、更に背面シート４１の背面にはバネ式ホック５１と着脱するホック（留め金）５２を固定する。
なお、ホックに代えて、或いはホックと併用してベルベットクロス（マジックテープ（登録商標））を用いても取付け部材５０をベース部材Ａの背面に係着するように構成してもよい。
【００１２】
図５に示すように、ホルダ本体２の背面をゴルフシューズ６０の甲の部分に添設した状態で取付け部材５０を靴紐６１の裏側に差し込んでバネ式ホック５１をホック５２に圧着することによりホルダ本体２の取付けが完了する。このようにゴルフシューズに取り付けたゴルフ用具携帯用ホルダ１はその表面にティー、樹脂製マーカー、メタルマーカー、及びグリーンフォークが位置しているため、指先で摘むことにより簡単に取り出すことができ、更に逆の手順により装着することができる。特に、メタルマーカーは右手の親指により容易に取り出すことができ、装着もワンタッチでできる。
なお、左利きのプレイヤー用のゴルフ用具携帯用ホルダ１は、図示したものと左右が逆の構成になる。
なお、本発明のゴルフ用具携帯用ホルダ１は、ゴルフシューズに限らず、衣服、ベルト等に取り付けることもできる。衣服に取り付ける場合には安全ピンを用いることが好ましく、ベルトに取り付ける場合にはベルトに係止し易いクリップ、ベルベットクロス等を用いる。
【００１３】
以上のように本発明によれば、メタルマーカー収納部内において磁石によりメタルマーカーを吸着保持するように構成したので、ホルダをゴルフシューズに取り付けたとしても振動衝撃によって脱落、飛散することがない。このため、メタルマーカー収納部から露出するメタルマーカーの面積を広く確保することができ、プレイ中における着脱操作性を高めることができる。また、一つのホルダにより、ティーＴ、２種類のマーカーＭＭ、ＰＭ、及びグリーンフォークＦを保持可能としたため、ゴルフプレイ中の小物用具の取扱性を高め、プレイ進行の遅延を防止できる。
また、メタルマーカーを磁石により支持するようにしたので、Ｕ字状の切り込み部を設けてメタルマーカーの露出面積を大きくしたとしても、振動衝撃により脱落することがなくなった。
また、ベースシートの前面、背面等、狭いスペースを有効に利用して各種小物用具をコンパクトに保持可能に構成することができる。
ストッパ部材２３によりメタルマーカーが収納部内において露出する面積を広く確保して抜取り時の操作性を高める一方で、金属部材２２によりメタルマーカーとの間の滑りをよくして着脱操作性を高めることができる。
【図面の簡単な説明】
【００１４】
【図１】（ａ）（ｂ）（ｃ）（ｄ）（ｅ）及び（ｆ）は本発明の一実施形態に係るゴルフ用具携帯用ホルダの構成を示す正面図、右側面図、左側面図、平面図、底面図、及び背面図である。
【００１５】
【図２】本発明の携帯用ホルダに用具を取り付けた状態を示す正面図である。
【図３】本発明の携帯用ホルダの断面図である。
【図４】（ａ）はホルダ本体を正面方向から見た分解斜視図、（ｂ）はベースシートを背面方向から見た分解斜視図である。
【図５】本発明のゴルフ用具携帯用ホルダをゴルフシューズに取り付けた状態を示す図である。
【符号の説明】
【００１６】
１…ゴルフ用具携帯用ホルダ、２…ホルダ本体、３…ベースシート、４…ティー収納穴（ティー収納部）、１０…メタルマーカー収納空所（メタルマーカー収納部）、２０…樹脂製マーカー装着穴、２０ａ…Ｏリング、２１…中カバー、２２…金属部材、２３…ストッパ部材、２４…磁石、３０…前カバー、４０…グリーンフォーク収納空所（グリーンフォーク収納部）、４１…背面シート、４５…板部材、４６…ストッパ部材、５０…取付け部材、５１…バネ式ホック、５２…ホック、６０…ゴルフシューズ、６１…靴紐
【図１】
0005319963.tif 000002
【図２】
0005319963.tif 000003
【図３】
0005319963.tif 000004
【図４】
0005319963.tif 000005
【図５】
0005319963.tif 000006